(57)【要約】【課題】意匠部材の下部を照明して、意匠部材の印影及び照明光を付与することができる照明装置を提供する。【解決手段】ベース台１０は上部に開口１５を備えた収納室１２を有する。発光装置２０は収納室１２に対し開口１５から出し入れ可能に収納されている。照明装置は、上部がベース台１０の上部よりも高く延出されて、相互にベース台１０の上部周縁に離間して配置された複数の受け部材３０を備える。照明装置は、ベース台１０の上部にて支持されるとともに、複数の受け部材３０により係止可能な外周面を備えるとともに発光部２２の発光が外部から視認可能に透明材質又は半透明材質からなる意匠部材４０を備える。照明装置は、意匠部材４０の下部を照明して、意匠部材、飾り物４２の印影及び照明光を付与する。【選択図】図２
0003189900.tif 000002
【実用新案登録請求の範囲】
【請求項１】
上部に開口を備えた収納部を有するベース台と、
前記収納部に対して前記開口から出し入れ可能に収納されるとともに発光部を備える発光装置と、
上部が前記ベース台の上部よりも高く延出されて、相互に前記ベース台の上部周縁に離間して配置された複数の受け部材と、
前記ベース台の上部にて支持されるとともに、前記複数の受け部材により係止可能な外周面を備えるとともに前記発光部の発光が外部から視認可能に透明材質又は半透明材質からなる意匠部材を備える照明装置。
【請求項２】
前記ベース台は、前記発光装置が発光した光を遮蔽する不透明の材質からなる請求項１に記載の照明装置。
【請求項３】
前記意匠部材は、容器である請求項１又は請求項２に記載の照明装置。
【請求項４】
前記容器は、上部が閉塞されている請求項３に記載の照明装置。
【請求項５】
前記意匠部材内には飾り物が収納されている請求項３又は請求項４に記載の照明装置。
【請求項６】
前記飾り物が造花である請求項５に記載の照明装置。
【請求項７】
前記発光装置の発光部は、前記開口から上方へ突出して配置され、
前記意匠部材の底部には、前記発光部を収納する収納凹部を有する請求項１乃至請求項６のいずれか１項に記載の照明装置。
【請求項８】
前記受け部材は、前記収納部内に収納された前記発光装置に係止して前記発光装置の前記収納部からの離脱を不能にする抜け止め状態と前記収納部の前記開口からの前記発光装置の離脱を許容する許容状態の遷移が可能に前記ベース台に対して移動可能に形成されている請求項１乃至請求項７のうちいずれか１項に記載の照明装置。
【考案の詳細な説明】
【技術分野】
【０００１】
本考案は、飾り等に使用される照明装置に関する。
【背景技術】
【０００２】
従来、飾りもの等の意匠部材を照明する場合、意匠部材とは別体になった照明器具で照明することが多く行われている。意匠部材の照明は、前記意匠部材の上方、側方、或いは下方から行われることが多い。この場合、意匠部材が載置された場所とは別に照明器具の取付け場所を設ける必要がある。
【０００３】
また、光源を備えた行燈本体の上部に、光透過性を有する底板と天板を上下に間隔をおいて配置して、天板に意匠部材を載置するくりぬき孔が形成されたものが提案されている（特許文献１）。特許文献１では、意匠部材を天板で支持するとともに意匠部材を下方から照明するため、照明器具の取付け場所を意匠部材と同じ場所とすることができて、照明器具を別途設ける必要がない利点がある。
【先行技術文献】
【特許文献】
【０００４】
【特許文献１】特開２００９−１４８４２３号公報
【考案の概要】
【考案が解決しようとする課題】
【０００５】
ところで、特許文献１では、意匠部材全体を下方から照明を与えるため、意匠部材の内部の印影が乏しくなる問題がある。
本考案の目的は、意匠部材の下部を照明して、意匠部材の内部から照明光により前記内部の印影を付与することができる照明装置を提供することにある。
【課題を解決するための手段】
【０００６】
上記課題を解決するために、請求項１の考案は、上部に開口を備えた収納部を有するベース台と、前記収納部に対して前記開口から出し入れ可能に収納されるとともに発光部を備える発光装置と、上部が前記ベース台の上部よりも高く延出されて、相互に前記ベース台の上部周縁に離間して配置された複数の受け部材と、前記ベース台の上部にて支持されるとともに、前記複数の受け部材により係止可能な外周面を備えるとともに前記発光部の発光が外部から視認可能に透明材質又は半透明材質からなる意匠部材を備える照明装置を要旨としている。
【０００７】
請求項２の考案は、請求項１において、前記ベース台は、前記発光装置が発光した光を遮蔽する不透明の材質からなる。
請求項３の考案は、請求項１又は請求項２において、前記意匠部材は、容器としている。
【０００８】
請求項４の考案は、請求項３において、前記容器は、上部が閉塞されている。
請求項５の考案は、請求項３又は請求項４において、前記意匠部材内には飾り物が収納されている。
【０００９】
請求項６の考案は、請求項５において、前記飾り物を造花としている。
請求項７の考案は、請求項１乃至請求項６のいずれか１項において、前記発光部の発光部は、前記開口から上方へ突出して配置され、前記意匠部材の底部には、前記発光部を収納する収納凹部を有するものである。
【００１０】
請求項８の考案は、請求項１乃至請求項７のうちいずれか１項において、前記受け部材は、前記収納部内に収納された前記発光装置に係止して前記発光装置の前記収納部からの離脱を不能にする抜け止め状態と前記収納部の前記開口からの前記発光装置の離脱を許容する許容状態の遷移が可能に前記ベース台に対して移動可能に形成されている。
【考案の効果】
【００１１】
請求項１の考案によれば、意匠部材の下部を照明して、意匠部材の内部から照明光により前記内部の印影を付与することができる。
請求項２の考案によれば、ベース台が不透明であるため、発光部の光を、全て収納部の開口から意匠部材に対して照射できる。この結果、ベース台が透明である場合に比して意匠部材の内部の印影の形成を良くできる。
【００１２】
請求項３の考案によれば、意匠部材を容器としているため、容器内に他の飾りとなるものを収納できる。この結果、容器内の他の飾りとなるものについても内部の印影を付与できる。
【００１３】
請求項４の考案によれば、容器の上部が閉塞されているため、容器内に埃等が入ることがない。
請求項５の考案によれば、意匠部材（容器）内に飾り物が収納されているため、前記飾り物に対しても内部の印影を付与することができる。
【００１４】
請求項６の考案によれば、意匠部材（容器）内に造花が収納されているため、前記造花に対しても内部の印影を付与することができる。
請求項７の考案によれば、発光部が意匠部材の収納凹部内に収納されるため、発光部の発光により、意匠部材の内部から意匠部材自体を、或いは、意匠部材内に飾り物がある場合には、その飾り物の内部の印影を付与することができる。
【００１５】
請求項８の考案によれば、受け部材が抜け止め状態のときには、発光装置の収納部からの離脱が防止できるとともに、意匠部材を支持できる。また、受け部材が許容状態のときには、発光装置の収納部からの離脱が許容できる。従って、ベース台の収納部に収納した発光装置のメンテナンス作業を容易に行うことができる。
【図面の簡単な説明】
【００１６】
【図１】照明装置の正面図。
【図２】照明装置の一部切り欠き断面図。
【図３】発光装置、受け部材及びベース台の組立た状態の斜視図。
【図４】発光装置、受け部材及びベース台の組立を分解した状態の斜視図。
【考案を実施するための形態】
【００１７】
以下、本考案を、具体化した一実施形態を図１〜図４を参照して説明する。
図１、図２に示すように照明装置は、ベース台１０、ベース台１０に収納された発光装置２０、ベース台１０の上部に設けられた受け部材３０、受け部材３０及びベース台１０に支持された意匠部材４０を備えている。
【００１８】
本実施形態のベース台１０は、光を遮蔽する不透明の合成樹脂から円筒状に形成されるとともに、外周面の下部は下方に行くほど径が長くなるように形成されている。なお、ベース台１０の外形形状は限定されるものではなく、自立する形状であればよい。また、ベース台１０の材質は合成樹脂に限定するものではなく、木製、金属製、陶製の他の材質であってもよい。
【００１９】
図２に示すようにベース台１０は、収納部としての収納室１２を備えている。収納室１２の横断面は円形に形成されている。収納室１２の横断面の形状は、円形に限定するものではなく、発光装置２０を収納できる形状であればよい。
【００２０】
収納室１２は、底部１３に貫通孔１４が形成されていて、ベース台１０の下部開口部１８と連通されている。収納室１２の上部には開口１５が形成されている。
図３に示すようにベース台１０の上端面には、開口１５の上縁部に沿ってリング状の突部１６が形成されている。図１、図２に示すように突部１６は、意匠部材４０の底部に当接して意匠部材４０を支持している。
【００２１】
ベース台１０の上端面及び突部１６には、径方向に延びるように複数の嵌合部１７が離間するように形成されている。本実施形態では、前記嵌合部１７の数は、３つとしているが、４つ以上であってもよい。本実施形態では、嵌合部１７はアリ溝で形成されている。
【００２２】
図３に示すように各嵌合部１７には、受け部材３０が設けられている。各嵌合部１７にそれぞれ受け部材３０が設けられて取付けられることにより、複数の受け部材３０は離間配置されている。図４に示すように受け部材３０は、嵌合部１７に対して着脱自在に嵌合する取付部３２と、取付部３２に一体に設けられた受け部３４とを備えている。本実施形態では取付部３２は、前記嵌合部１７に対して断面台形状に形成されている。また、図３に示すように受け部材３０は、前記嵌合部１７に対して取付けられた状態では、先端部が開口１５内に突出されている。
【００２３】
図２、図３に示すように受け部３４は取付部３２よりも上方へ延出された爪部３５と、取付部３２よりも下方へ延出された係止部３６を有する。図１、図２に示すように、爪部３５は、受け部材３０がベース台１０に取付けられた状態では、ベース台１０の上部より高く上方に延出されている。また、この状態で、各爪部３５は意匠部材４０の外周面に当接することにより意匠部材４０の横の移動が防止されている。また、図２、図３に示すように係止部３６はベース台１０の外周面に係止して、ベース台１０に対する受け部材３０の取付け位置が決定されている。
【００２４】
図２、図４に示すように発光装置２０は、装置本体の下面が底部１３に当接した状態で収納室１２内に装置本体が収納されるように円柱状に形成されている。発光装置２０は、収納室１２に対して開口１５を介して抜き出し及び収納可能である。また、発光装置２０の装置本体の上端面の中央には発光部２２が突出形成されている。図２に示すように発光部２２は、発光装置２０を収納室１２に収納した状態では、開口１５を介してベース台１０の突部１６よりも上方へ突出されている。また、発光装置２０が収納室１２内に収納された状態では、前記受け部材３０の取付部３２の先端が、図２、図３に示すように発光装置２０の上方に位置して、発光装置２０の上方への抜き出し不能になっている。この状態は、収納室１２内に収納された発光装置２０に係止して発光装置２０の収納室１２らの離脱を不能にする抜け止め状態となっている。なお、受け部材３０は、取付部３２が図４に示すように前記嵌合部１７から外方へ離脱すると、開口１５の上方が開放されて発光装置２０は収納室１２からの離脱を許容する許容状態の遷移が可能である。
【００２５】
前記発光部２２の外形形状は、ろうそくの火の炎の形状を有しており、その内部には、発光部２２は、例えば、ＬＥＤ（発光ダイオード：Light Emitting Diode）等の発光素子を備えている。また、図示はしないが、発光装置２０の装置本体内には、図示はしないがバッテリ及び前記ＬＥＤを発光させる図示しない駆動回路が格納されるとともに、装置本体の下面には、発光部２２をオンオフするための図示しないスイッチが設けられている。前記スイッチは、図２に示す貫通孔１４に相対して配置されており、下部開口部１８、貫通孔１４を介して差し入れた人の指により、オンオフ操作可能である。
【００２６】
図１、図２に示すように意匠部材４０は、容器の一例として椀形状をしており、その外周面は、爪部３５に対して係止される外周面を有する。また、意匠部材４０の内部には飾り物４２が収納されている。また、本実施形態では、意匠部材４０の上部開口に一体に連結された閉塞部材４４にて閉塞されている。意匠部材４０は、例えば、ガラス、或いはアクリル樹脂等の透明材質により形成されている。なお、閉塞部材４４は、意匠部材４０の上端縁に対して接着あるいは溶着されている。
【００２７】
図２に示すように意匠部材４０の底部には、ベース台１０の突部１６よりも上方へ突出した発光部２２を収納する収納凹部４６が上方へ凹設されている。
飾り物４２は、例えば、造花、ビーズ、ガラス玉等を上げることができる。また、飾り物４２は、種々の色を有することが好ましいが、単色であってもよい。
【００２８】
（実施形態の作用）
上記のように構成された照明装置の作用を説明する。
図１、図２は、照明装置の使用状態を示している。この状態では収納室１２内に発光装置２０が収納された状態であって、取付部３２の先端が発光装置２０に係止して発光装置２０の収納室１２からの離脱を不能にする抜け止め状態となっている。
【００２９】
この状態で、下部開口部１８、貫通孔１４を介して人が、発光装置２０の図示しない前記スイッチをオン操作すると、発光装置２０の発光部２２が発光する。この発光した状態で、ベース台１０を図示しない机、或いは台等に載置するとともに、ベース台１０の突部１６上に意匠部材４０を載置する。意匠部材４０は、その底部が突部１６上に載置されるとともに各爪部３５により外周面が係止されてベース台１０にて安定的に支持される。
【００３０】
意匠部材４０の収納凹部４６内には、発光部２２が収納された状態で発光するため、意匠部材４０内の飾り物４２は、意匠部材４０の内部からの光により、飾り物４２で遮蔽された部位では印影が付与される。また、意匠部材４０の外部から内部を見た場合、飾り物４２に遮蔽されない部位では、発光部２２の発光を直接視認できるものとなる。
【００３１】
また、本実施形態では、意匠部材４０内に飾り物４２を収納したが、飾り物４２の代わりに、水を入れたり、内部に何も入れない場合であっても、収納凹部４６内での発光部２２の発光により、意匠部材４０の形状に応じた印影及び照明光が意匠部材４０自体に映し出される。この場合であっても、意匠部材４０の下部を照明することにより、意匠部材の印影及び照明光を付与することができる。
【００３２】
また、発光装置２０のバッテリ交換等のメンテナンスが必要な場合、図３に示すように意匠部材４０を人が取り去った後、図４に示すように各受け部材３０を各嵌合部１７から外方へ抜き去る。この状態で、開口１５の上方が開放されて発光装置２０は収納室１２からの離脱を許容する許容状態となる。そして、図２に示す開口１５、貫通孔１４から発光装置２０を下方から発光装置２０を押し出して、収納室１２から発光装置２０を取出す。この後、発光装置２０のメンテナンスを行えばよい。
【００３３】
さて、上記のように構成された照明装置の効果を以下に説明する。
（１）本実施形態の照明装置は、上部に開口１５を備えた収納室１２（収納部）を有するベース台１０と、収納室１２に対して開口１５から出し入れ可能に収納されるとともに発光部２２を備える発光装置２０を有する。また、照明装置は、上部がベース台１０の上部よりも高く延出されて、相互にベース台１０の上部周縁に離間して配置された複数の受け部材３０を備える。また、照明装置は、ベース台１０の上部にて支持されるとともに、複数の受け部材３０により係止可能な外周面を備えるとともに発光部２２の発光が外部から視認可能に透明材質又は半透明材質からなる意匠部材４０を備える。この結果、本実施形態の照明装置は、意匠部材の下部を照明して、意匠部材の内部の印影を付与することができる。
【００３４】
（２）本実施形態の照明装置は、ベース台１０は、発光装置２０が発光した光を遮蔽する不透明の材質からなる。この結果、本実施形態によれば、ベース台１０が不透明であるため、発光部２２の光を、全て収納室１２の開口１５から意匠部材４０に対して照射できる。この結果、ベース台１０が透明である場合に比して意匠部材４０の内部の印影の形成を良くできる。
【００３５】
（３）本実施形態の照明装置は、意匠部材４０が容器としているため、容器内に他の飾りとなるものを収納できる。この結果、容器内の他の飾りとなるものについても内部の印影を豊富に付与できる。
【００３６】
（４）本実施形態の照明装置は、容器は上部が閉塞されているものとしている。この結果、本実施形態によれば、容器の上部が閉塞されているため、容器内に埃等が入ることがない。
【００３７】
（５）本実施形態の照明装置は、意匠部材４０内には飾り物４２が収納されているため、飾り物４２に対しても内部の印影を付与することができる。
（６）本実施形態の照明装置は、意匠部材（容器）内に造花が収納されているため、造花に対しても内部の印影を付与することができる。
【００３８】
（７）本実施形態の照明装置は、発光装置２０の発光部２２は、開口１５から上方へ突出して配置され、意匠部材４０の底部には、発光部２２を収納する収納凹部４６を有する。この結果、本実施形態によれば、発光部２２が意匠部材４０の収納凹部４６内に収納されるため、発光部２２の発光により、意匠部材４０の内部から意匠部材４０自体を、或いは、意匠部材４０内に飾り物４２がある場合には、その飾り物４２の内部の印影を付与することができる。
【００３９】
（８）本実施形態の受け部材３０は、収納室１２（収納部）内に収納された発光装置２０に係止して発光装置２０の収納室１２からの離脱を不能にする抜け止め状態とし得る。また、受け部材３０は、収納室１２の開口１５からの発光装置２０の離脱を許容する許容状態の遷移が可能にベース台１０に対して移動可能に形成されている。この結果、本実施形態によれば、受け部材３０が抜け止め状態のときには、発光装置２０の収納室１２からの離脱が防止できるとともに、意匠部材を支持できる。また、受け部材３０が許容状態のときには、発光装置２０の収納室１２からの離脱が許容できる。従って、ベース台の収納室１２に収納した発光装置２０のメンテナンス作業を容易に行うことができる。
【００４０】
なお、本考案の実施形態は以下のように変更してもよい。
・前記実施形態では、意匠部材４０の底部に収納凹部４６を設けたが、収納凹部４６を省略してもよい。
【００４１】
・前記実施形態では、嵌合部１７をアリ溝としたが、アリ溝に限定するものではなく、Ｔ溝等の他の形状の溝、或いはベース台１０の外周面から開口１５に貫通する貫通孔であってもよい。
【００４２】
・意匠部材４０及び閉塞部材４４は、透明なガラスはアクリル樹脂等の材質にて形成したが、両部材は半透明材質で形成してもよい。または、一方の部材のみを透明にて、他方を半透明としてもよい。
【００４３】
・前記実施形態では、嵌合部１７の数を、３つまたは４つ以上としているが、２つであってもよい、この場合は、受け部材３０は２つとなるが、受け部３４の厚みを厚くし、抱くようにすれば、意匠部材４０を安定して支持することが可能である。
【００４４】
・前記意匠部材４０は、容器としたが、意匠部材４０は容器に限定されるものではなく、例えば、半透明或いは、透明の造形物としてもよい。
【符号の説明】
【００４５】
１０…ベース台、１２…収納室、１３…底部、１４…貫通孔、１５…開口、
１６…突部、１７…嵌合部、１８…下部開口部、
２０…発光装置、２２…発光部、
３０…受け部材、３２…取付部、３４…受け部、３５…爪部、３６…係止部、
４０…意匠部材、４２…飾り物、４４…閉塞部材、
４６…収納凹部。
【図１】
0003189900.tif 000003
【図２】
0003189900.tif 000004
【図３】
0003189900.tif 000005
【図４】
0003189900.tif 000006